(57)【要約】【課題】係留ロープに付着した海藻類や貝類の付着物を地上で容易に除去することができる係留ロープ用洗浄装置を提供する。【解決手段】係留ロープＰを直線状に支持する一対の支柱１０を設ける。係留ロープＰの洗浄部分を被覆するカバー体２０を設ける。カバー体２０内部の係留ロープＰに高圧洗浄水を吹き付ける高圧ノズル３０を備る。カバー部２０の端部に筒状スクレーパ２１を配置する。係留ロープＰを挿通せしめるリング状支持部１１を各支柱１０に設ける。リング状支持部１１間の係留ロープの側面に高圧洗浄水を吹き付けるように構成する。【選択図】  図１
2019010633.tif 000002
【特許請求の範囲】
【請求項１】
係留ロープを直線状に支持する複数本の支柱と、係留ロープの洗浄部分を被覆するカバー体と、該カバー体の内部に配置され支柱に支持した係留ロープの側面に高圧洗浄水を吹き付ける複数個の高圧ノズルとを備え、カバー部の係留ロープ搬入側の端部に係留ロープの付着物を掻き落とす筒状スクレーパを配置すると共に、該筒状スクレーパを通過した係留ロープを挿通せしめるリング状支持部を各支柱に設け、係留ロープがカバー部内部に搬入されると、リング状支持部間の係留ロープの側面に、高圧ノズルから高圧洗浄水が吹き付けられるように構成したことを特徴とする係留ロープ用洗浄装置。
【請求項２】
前記高圧ノズルは、前記リング状支持部にて支持された前記係留ロープの周側面側に複数個配置され、各高圧ノズルから噴出する高圧洗浄水により前記係留ロープが前記リング状支持部内で直線状に保たれるように構成した請求項１記載の係留ロープ用洗浄装置。
【請求項３】
前記筒状スクレーパ及び前記リング状支持部は前記係留ロープの径に応じて交換自在に設けられた請求項１記載の係留ロープ用洗浄装置。
【請求項４】
前記高圧ノズルは、高圧洗浄水を扇状に噴出するノズル口を備え、扇状の高圧洗浄水が前記係留ロープの長手方向に対して傾斜する向きに噴出するように構成された請求項３記載の係留ロープ用洗浄装置。
【発明の詳細な説明】
【技術分野】
【０００１】
本発明は、船を係留する際に使用する係留ロープの洗浄装置に係り、ロープに付着した貝類や海藻等の付着物を地上で容易に洗浄することができる係留ロープ用洗浄装置に関するものである。
【背景技術】
【０００２】
一般に、船やボートを係留する係留ロープには、カキやフジツボ等の貝類や海藻等の付着物が大量に付着する場合がある。そこで、これらの付着を防止する防汚塗料などを係留ロープに予め塗布することも可能であるが、防汚塗料に含まれている有機溶剤等が環境汚染につながるおそれがある。また、係留ロープに付着してしまった貝類等を除去するには、付着物を剥がすスクレーパなどを使用して人力で落としているのが現状である。
【０００３】
一方、係留ロープに付着した貝類、藻類等の付着物を自走しながら清掃する水中ロープの付着物除去装置が特許文献１に記載されている。この装置は、掻き落とし円板をスクレーパ部材として装置本体に設けたもので、ロープに沿って装置本体を走行させることで付着物を掻き取る装置である。
【０００４】
更に、特許文献２には、ワイヤロープに予め塗布された古いグリースを除去するためのワイヤロープの自動洗浄回収装置が記載されている。この装置は、ワイヤロープを被覆するカバーと、該カバー内でワイヤロープに洗浄液を吹き付ける手段とを有するもので、カバーに吸引手段を設け、この吸引手段によりカバー内の洗浄液を吸引することで洗浄液の漏洩を防止するように構成したものである。
【先行技術文献】
【特許文献】
【０００５】
【特許文献１】特開２００８−２９２２９号公報
【特許文献２】特許第３４１６７１７号公報
【発明の概要】
【発明が解決しようとする課題】
【０００６】
ところが、特許文献１に記載の付着物除去装置は、係留ロープに沿って自走する構成であるため、水中での使用に限定されることから、地上でロープを洗浄することはできない構成であった。しかも、ロープの側面に付着した付着物を掻き落とし円板で掻き落とすだけの装置であるから、ロープの網目に残る小さな付着物まで除去することは困難な構成である。また、スクレーパ用の円板でロープの周囲を強く擦ることになるので、次第にロープが傷んでしまう不都合もある。
【０００７】
一方、特許文献２に記載の装置は、ワイヤロープに塗布された古いグリースを除去することは可能でも、ロープに付着した貝類、藻類等の付着物を除去することは困難である。すなわち、係留ロープに付着した貝類、藻類等の付着物は、ロープの網目に沿って深い位置まで固着している場合が多い。したがって、仮に付着物に有効な洗浄液を吹き付けたとしても、付着している貝類等の付着物自体が妨げになって洗浄液を効果的に吹き付けることが困難になる。
【０００８】
そのため、係留ロープに付着した貝類、藻類等の付着物を除去するには、特許文献１の如く、スクレーパなどで掻き取る作業が効率的であるが、自動的に掻き取る作業ではロープの網目に付着した細かい付着物を除去することが困難になる。
【０００９】
そこで本発明は上述の課題を解消すべく創出されたもので、係留ロープに付着した海藻類や貝類の付着物を地上で容易に除去すると共に、ロープの網目に付着した細かい付着物まで容易に除去することができる係留ロープ用洗浄装置の提供を目的とする。
【課題を解決するための手段】
【００１０】
上述の目的を達成すべく本発明における第１の手段は、係留ロープＰを直線状に支持する複数本の支柱１０と、係留ロープＰの洗浄部分を被覆するカバー体２０と、該カバー体２０の内部に配置され支柱１０に支持した係留ロープＰの側面に高圧洗浄水を吹き付ける複数個の高圧ノズル３０とを備え、カバー部２０の係留ロープＰ搬入側の端部に係留ロープＰの付着物を掻き落とす筒状スクレーパ２１を配置すると共に、該筒状スクレーパ２１を通過した係留ロープＰを挿通せしめるリング状支持部１１を各支柱１０に設け、係留ロープＰがカバー部２０内部に搬入されると、リング状支持部１１間の係留ロープＰの側面に、高圧ノズル３０から高圧洗浄水が吹き付けられるように構成したことにある。
【００１１】
第２の手段において、前記高圧ノズル３０は、前記リング状支持部１１にて支持された前記係留ロープＰの周側面側に複数個配置され、各高圧ノズル３０から噴出する高圧洗浄水により前記係留ロープＰが前記リング状支持部１１内で直線状に保たれるように構成している。
【００１２】
第３の手段は、前記筒状スクレーパ２１及び前記リング状支持部１１は前記係留ロープＰの径に応じて交換自在に設けられている。
【００１３】
第４の手段において、前記高圧ノズル３０は、高圧洗浄水を扇状に噴出するノズル口３１を備え、扇状の高圧洗浄水が前記係留ロープＰの長手方向に対して傾斜する向きに噴出するように構成したものである。
【発明の効果】
【００１４】
本発明の請求項１のごとく、カバー部２０の係留ロープＰ搬入側の端部に係留ロープＰの付着物を掻き落とす筒状スクレーパ２１を配置すると共に、該筒状スクレーパ２１を通過した係留ロープＰを挿通せしめるリング状支持部１１を各支柱１０に設け、係留ロープＰがカバー部２０内部に搬入されるとリング状支持部１１間で、高圧ノズル３０から高圧洗浄水が吹き付けられるように構成したことにより、係留ロープに付着した海藻類や貝類の付着物を地上で容易に除去することができるものである。
【００１５】
しかも、リング状支持部１１間で、係留ロープＰの側面周囲に高圧ノズル３０から高圧洗浄水が吹き付けられるように構成しているので、係留ロープＰの引張テンションが緩い状態で係留ロープＰの側面に高圧洗浄水が吹き付けられる。そうすると、係留ロープＰの網目が緩んで膨らみ、網目の奥まで高圧洗浄水が浸入する。この結果、係留ロープＰの網目に残った小さな付着物まで確実に除去することができる。また、係留ロープＰの汚れに至るまで除去できるので、係留ロープＰが真っ白になるほど洗浄することも可能になる。
【００１６】
請求項２のように、リング状支持部１１にて支持された係留ロープＰの周側面側に高圧ノズル３０が複数個配置され、各高圧ノズル３０から噴出する高圧水により係留ロープＰがリング状支持部１１内で直線状に保たれるように構成したことで、高圧洗浄水を係留ロープＰの側面に均一に噴射することができる。この結果、係留ロープＰの周側面に付着している付着物の洗浄漏れを防止することができる。
【００１７】
請求項３のように、筒状スクレーパ２１及びリング状支持部１１は係留ロープＰの径に応じて交換自在に設けられているので、各種径の係留ロープＰに対応して使用することが可能になっている。
【００１８】
請求項４のごとく、高圧ノズル３０は、高圧洗浄水を扇状に噴出するノズル口３１を備え、扇状の高圧洗浄水が係留ロープＰの長手方向に対して傾斜する向きに噴出するように構成されているので、高圧ノズル３０から係留ロープＰに噴射する高圧洗浄水は、係留ロープＰの網目に沿って高圧の洗浄水を噴射することが可能になる。したがって、係留ロープＰの網目深くまで固着している各種の付着物を合理的に除去することができる。
【００１９】
このように、本発明によると、係留ロープに付着した海藻類や貝類の付着物を地上で容易に除去すると共に、ロープの網目に付着した細かい付着物まで容易に除去することができるなどといった当初の目的を達成するものである。
【図面の簡単な説明】
【００２０】
【図１】本発明の一実施例を示す展開斜視図である。
【図２】本発明の一実施例を示す斜視図である。
【図３】本発明の使用状態を示す側断面図である。
【図４】本発明の筒状スクレーパを示す側面図である。
【図５】本発明のカバー体内部を示す側面図である。
【図６】本発明の高圧ノズルを示す要部斜視図である。
【発明を実施するための形態】
【００２１】
本発明洗浄装置は、船を岸壁に係留する際に使用する係留ロープＰを洗浄する装置であり、本発明の主要構成は、支柱１０、カバー体２０、高圧ノズル３０を備えたものである。
【００２２】
支柱１０は、カバー体２０内部に装着され係留ロープＰを直線状に支持する一対の部材である。各支柱１０には、係留ロープＰを挿通して係留ロープＰの側面を支持するリング状支持部１１を設けている。そして、この支柱１０相互のリング状支持部１１間に支持した係留ロープＰを高圧洗浄水で洗浄するように構成している。これら支柱１０及びリング状支持部１１は、洗浄する係留ロープＰの径に合わせて交換自在に設けることができる。
【００２３】
図示の支柱１０は、カバー体２０の上下内部に支持杆１０Ａを設置して係留ロープＰを上下から支える支持部１０Ｂを設けている（図１参照）。そして、この支持部１０Ｂが突き当たるとリング状支持部１１が形成されるものである（図６参照）。すなわち、支持部１０Ｂは、各支持杆１０Ａの端部に設けられた半円形状を成し、上下の支持杆１０Ａを突き合わせると支柱１０の中央にリング状支持部１１が形成されるものである。リング状支持部１１をこのように構成することで、支持部１０Ｂに係留ロープＰを載せた後、カバー体２０を閉じると係留ロープＰが一対のリング状支持部１１内に挿通した状態になり、洗浄作業を効率化することが可能になる。
【００２４】
更に、支柱１０を交換するには、支柱１０の下端部に設けた差込部１０Ｃを介してカバー体２０に着脱自在に固定することができる（図１参照）。尚、図示の差込部１０Ｃは四角柱状を成している。このように、差込部１０Ｃを多角形状に形成すると、支柱１０を差し込んだときに、リング状支持部１１の向きを常に一定方向に規制することができる。更に、支柱１０やリング状支持部１１の形状は図示例に限定されるものではなく、係留ロープＰを直線状に支持できる構成であれば良い。
【００２５】
カバー体２０は、係留ロープＰの洗浄部分を被覆する部材で、このカバー体２０の内部に支柱１０や高圧ノズル３０を収納している。図示のカバー体２０は、横向きの略円筒状を成し、下カバー２０Ａと下カバー２０Ａとがヒンジ２３を介して上下に開閉し、固定金具２４で固定するように設けたものである（図１参照）。図示例では、カバー体２０を架台４０の上に載置して使用している（図４参照）。また、カバー体２０を垂直にして使用する場合は不要になるなど架台４０の選択は任意である。
【００２６】
更に、カバー部２０の端部に筒状スクレーパ２１を配置している（図１参照）。この筒状スクレーパ２１は、金属製の筒状を成した部材で、この筒状スクレーパ２１の内部を係留ロープＰが挿通することで、係留ロープＰの側面に付着した貝類の付着物を掻き落とすことができる（図３参照）。この筒状スクレーパ２１も洗浄する係留ロープＰの径に合わせて交換自在に設けられている（図１参照）。更に、筒状スクレーパ２１の開口部が二分割するように構成することで、係留ロープＰの装着を容易にすることができる。図示例では、カバー体２０の一端部を絞り込んで形成した装着口２２に、この筒状スクレーパ２１を嵌合固定するものである（図３参照）。
【００２７】
高圧ノズル３０は、係留ロープＰの側面に高圧洗浄水を噴射して洗浄する装置で、支柱１０相互のリング状支持部１１間で直線状に支持した係留ロープＰに高圧洗浄水を噴射する（図６参照）。係留ロープＰは、カバー体２０の筒状スクレーパ２１を通過する際に、貝等の大型の付着物は除去された状態になっている（図３参照）。そのため、高圧ノズル３０からの高圧洗浄水は、筒状スクレーパ２１では除去できなかった付着物、例えば、係留ロープＰの網目にこびり付いている藻などの海藻類や小型の貝などを除去するものである。
【００２８】
この高圧ノズル３０は、高圧洗浄機に配管３２を介して連結する部材であり（図１参照）、カバー体２０の外側から内部に向けて３個配置したものである（図４参照）。そして、各高圧ノズル３０から係留ロープＰの側面に高圧洗浄水を噴出すると、係留ロープＰが高圧洗浄水にて周囲から支持された状態になり、リング状支持部１１相互間で略直線状に保たれるように構成している（図３参照）。このような洗浄が可能な高圧洗浄水は、少なくとも150気圧以上の高圧水が必要になる。また、高圧洗浄水の種類は、水や湯あるいは任意の洗浄液を混合した洗浄水など、各種の洗浄液を選択することが可能である。
【００２９】
また、高圧ノズル３０の先端には、高圧洗浄水を扇状に噴出するノズル口３１を備えている（図６参照）。そして、この扇状の高圧洗浄水が係留ロープＰの長手方向に対して傾斜する向きに噴出するように構成している。このように、高圧洗浄水を扇状にして斜めに噴射することで、高圧の洗浄水を係留ロープＰの網目に沿って噴射することが可能になる。したがって、網目の奥深くに付着している付着物でも極めて効率良く洗い流すことが可能になる。図示例では、各高圧ノズル３０のノズル口３１から係留ロープＰの長手側面に対し、扇状の先端が略４５度の傾斜角で当るように構成している。
【００３０】
係留ロープＰをカバー体２０内に搬送する際に、手動にて行うことが可能である。この場合、カバー体２０から出てくる係留ロープＰの洗浄状態を確認しなから搬送スピードを調整することができる。また、大型の係留ロープＰを洗浄する場合は、牽引装置（図示せず）を併設し、係留ロープＰの搬送作業と洗浄作業を自動化することも可能である。
【００３１】
尚、本発明の支柱１０やカバー体２０、高圧ノズル３０等の構成は図示例に限定されるものではなく、本発明の要旨を変更しない範囲での設計変更は自由である。
【符号の説明】
【００３２】
Ｐ  係留ロープ
１０  支柱
１０Ａ  支持杆
１０Ｂ  支持部
１０Ｃ  差込部
１１  リング状支持部
２０  カバー体
２０Ａ  下カバー
２０Ｂ  上カバー
２１  筒状スクレーパ
２２  装着口
２３  ヒンジ
２４  固定金具
３０  高圧ノズル
３１  ノズル口
３２  配管
４０  架台
【図１】
2019010633.tif 000003
【図２】
2019010633.tif 000004
【図３】
2019010633.tif 000005
【図４】
2019010633.tif 000006
【図５】
2019010633.tif 000007
【図６】
2019010633.tif 000008
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
係留ロープの洗浄部分を被覆する横向きのカバー体と、係留ロープを挿通せしめるリング状支持部を有し、カバー体の内部上下に設置されて係留ロープを直線状に支持する複数本の支柱と、該カバー体の内部に配置され支柱に支持した係留ロープの側面に高圧洗浄水を吹き付ける複数個の高圧ノズルとを備え、
カバー部の係留ロープ搬入側の端部に係留ロープの付着物を掻き落とす筒状スクレーパを配置し、該筒状スクレーパを通過した係留ロープがリング状支持部に挿通するように設け、各高圧ノズルから噴出する高圧洗浄水により前記係留ロープが前記リング状支持部内で直線状に保たれるように構成したことを特徴とする係留ロープ用洗浄装置。
【請求項２】
前記筒状スクレーパ及び前記リング状支持部は前記係留ロープの径に応じて交換自在に設けられた請求項１記載の係留ロープ用洗浄装置。
【請求項３】
前記高圧ノズルは、高圧洗浄水を扇状に噴出するノズル口を備え、扇状の高圧洗浄水が前記係留ロープの長手方向に対して傾斜する向きに噴出するように構成された請求項１記載の係留ロープ用洗浄装置。
【手続補正２】
【補正対象書類名】明細書
【補正対象項目名】００１０
【補正方法】変更
【補正の内容】
【００１０】
上述の目的を達成すべく本発明における第１の手段は、係留ロープＰの洗浄部分を被覆する横向きのカバー体２０と、係留ロープＰを挿通せしめるリング状支持部１１を有し、カバー体２０の内部上下に設置されて係留ロープＰを直線状に支持する複数本の支柱１０と、該カバー体２０の内部に配置され支柱１０に支持した係留ロープＰの側面に高圧洗浄水を吹き付ける複数個の高圧ノズル３０とを備え、カバー部２０の係留ロープＰ搬入側の端部に係留ロープＰの付着物を掻き落とす筒状スクレーパ２１を配置し、該筒状スクレーパ２１を通過した係留ロープＰがリング状支持部１１に挿通するように設け、各高圧ノズル３０から係留ロープＰの側面に高圧洗浄水を噴出すると、リング状支持部１１相互間で係留ロープＰが略直線状に保たれるように構成したことにある。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第２の手段は、前記筒状スクレーパ２１及び前記リング状支持部１１は前記係留ロープＰの径に応じて交換自在に設けられている。
【手続補正５】
【補正対象書類名】明細書
【補正対象項目名】００１３
【補正方法】変更
【補正の内容】
【００１３】
第３の手段において、前記高圧ノズル３０は、高圧洗浄水を扇状に噴出するノズル口３１を備え、扇状の高圧洗浄水が前記係留ロープＰの長手方向に対して傾斜する向きに噴出するように構成したものである。
【手続補正６】
【補正対象書類名】明細書
【補正対象項目名】００１４
【補正方法】変更
【補正の内容】
【００１４】
本発明の請求項１のごとく、係留ロープＰの洗浄部分を被覆する横向きのカバー体２０と、係留ロープＰを挿通せしめるリング状支持部１１を有し、カバー体２０の内部上下に設置されて係留ロープＰを直線状に支持する複数本の支柱１０と、該カバー体２０の内部に配置され支柱１０に支持した係留ロープＰの側面に高圧洗浄水を吹き付ける複数個の高圧ノズル３０とを備え、カバー部２０の係留ロープＰ搬入側の端部に係留ロープＰの付着物を掻き落とす筒状スクレーパ２１を配置し、該筒状スクレーパ２１を通過した係留ロープＰがリング状支持部１１に挿通するように設けたことにより、係留ロープに付着した海藻類や貝類の付着物を地上で容易に除去することができるものである。
【手続補正７】
【補正対象書類名】明細書
【補正対象項目名】００１５
【補正方法】変更
【補正の内容】
【００１５】
しかも、各高圧ノズル３０から係留ロープＰの側面に高圧洗浄水を噴出すると、リング状支持部１１相互間で係留ロープＰが略直線状に保たれるように構成しているので、係留ロープＰの引張テンションが緩い状態でも係留ロープＰの側面に高圧洗浄水が吹き付けられる。そうすると、係留ロープＰの網目が緩んで膨らみ、網目の奥まで高圧洗浄水が浸入する。この結果、係留ロープＰの網目の奥に残った小さな付着物や、係留ロープＰの汚れに至るまで除去できるので、係留ロープＰが真っ白になるほど洗浄することも可能になる。更に、高圧洗浄水を係留ロープＰの側面に均一に噴射することができるので、係留ロープＰの周側面に付着している付着物の洗浄漏れを防止することができる。更に、係留ロープＰを傷めずに汚れを除去することも可能である。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項２のように、筒状スクレーパ２１及びリング状支持部１１は係留ロープＰの径に応じて交換自在に設けられているので、各種径の係留ロープＰに対応して使用することが可能になっている。
【手続補正１０】
【補正対象書類名】明細書
【補正対象項目名】００１８
【補正方法】変更
【補正の内容】
【００１８】
請求項３のごとく、高圧ノズル３０は、高圧洗浄水を扇状に噴出するノズル口３１を備え、扇状の高圧洗浄水が係留ロープＰの長手方向に対して傾斜する向きに噴出するように構成されているので、高圧ノズル３０から係留ロープＰに噴射する高圧洗浄水は、係留ロープＰの網目に沿って高圧の洗浄水を噴射することが可能になる。したがって、係留ロープＰの網目深くまで固着している各種の付着物を合理的に除去することができる。